(57)【特許請求の範囲】
【請求項１】
ハウジングに複数のコンタクトピンを並列に配列して有し、対応するＦＰＣ／ＦＦＣの先端側を受け入れ、前記の先端側に有する複数の電極と前記複数のコンタクトピンとの電気的接続を固定するように閉じられるアクチュエータを備えるＦＰＣ／ＦＦＣ用コネクタであって、
前記ハウジングが絶縁樹脂で形成され、
前方に開口し、側面が略コ字状を成し、前記ＦＰＣ／ＦＦＣの先端側を受け入れ、且つ前記ＦＰＣ／ＦＦＣの先端側の受け入れ量を規制する規制板を、前記ハウジングの両端側に備え、更に、
前記規制板に対応する略コ字状の側面を有し、前記規制板と所定の間隙を有して前記ハウジングに取り付けられる補強金具を有し、
前記アクチュエータは、両端側に回転支持部を有して前記補強金具に回転可能に軸支され、且つ前記アクチュエータが閉じられた時に、前記規制板と補強金具の所定の間隙に挟まれて固定される掛止め板部を有する、
ことを特徴とするＦＰＣ／ＦＦＣ用コネクタ。
【請求項２】
請求項１において、
前記補強金具は、後方部に突部を有し、前記ハウジングに形成されている窪みに前記突部が挿入されて、前記ハウジングに固定される、
ことを特徴とするＦＰＣ／ＦＦＣ用コネクタ。
【発明の詳細な説明】
【技術分野】
【０００１】
本発明は，フレキシブル回路基板（ＦＰＣ）又はフレキシブルフラットケーブル（ＦＦＣ）用のコネクタに関する。
【背景技術】
【０００２】
ＦＰＣ／ＦＦＣ（以下単に，ＦＰＣという）用コネクタは，電子機器の小型化に対応して特に，狭ピッチの電極スペース（例えば，０．３ｍｍ）のＦＰＣとの接続に適用される傾向にある。そして，ＦＰＣの電極スペースが狭ピッチとなると，コネクタのコンタクトとの位置あわせが難しくなり，ＦＰＣの電極とコネクタのコンタクトのピッチがずれて，接触不良等の事故が発生する可能性が多くなる。かかる場合は，製品の信頼性を損なうことになる。
【０００３】
また，ＦＰＣの引き回しのために，ＦＰＣを固定するコネクタのカバー（アクチュエータ）に，ＦＰＣが直接当たり，アクチュエータを開き易い状態とし，これによりＦＰＣの固定が外れるという状態になる。
【０００４】
そして，かかる点の改良を考慮したＦＰＣ用コネクタの構造が提案されている（特許文献１）。
【０００５】
特許文献１に記載のコネクタの構造を概略説明すると次のようである。
【０００６】
図１は，特許文献１の図３に示される，ＦＰＣ用コネクタの部分拡大図である。ＦＰＣの先端が，挿入ガイド１０Ｓ面に置かれ，挿入開口１０Ｔ内に挿入される。ついで，回転軸２１により支持回転されるアクチュエータ２０が閉じられる。これにより，ＦＰＣの電極とコンタクト３０が接触接続されるとともに，ＦＰＣの固定が行われる。
【０００７】
図１のコネクタ構造において，更に特徴として，抑え金具６０を有している。抑え金具６０はコネクタが搭載される基板のダミーパッドＤＰに半田付けされる半田付け脚６１と，挿入ガイド面１０Ｓとの間にＦＰＣ挿入空間６０Ｓを形成している。ＦＰＣの挿入に際し，幅方向のガイドを行うガイド面６２ａと，上下方向のガイドを行うガイド面６２ｂを有するあおり防止部６２を有している。
【０００８】
この抑え金具６０のあおり防止部６２により，アクチュエータ２０が閉じられた状態で，ＦＰＣを上方向に引き回した場合であってもアクチュエータ２０にＦＰＣが直接あたり，アクチュエータ２０の開き易い状態を形成してしまうという問題が解決される。
【特許文献１】特開２００３−４５５２７号公報
【発明の開示】
【発明が解決しようとする課題】
【０００９】
しかし，上記特許文献１に開示されるコネクタは，抑え金具６０の半田付け脚６１が基板に形成されているダミー電極ＤＰと半田付けされる構造である。したがって，抑え金具６０は，絶縁体で形成されるコネクタのハウジングとは独立して製造され，後に一体に組み立てられる構造であることは明らかである。
【００１０】
したがって，ハウジングと抑え金具６０のそれぞれの製造誤差に加え，ハウジングと抑え金具６０を一体に組み立てる際の製造誤差が不可避である。このために，ＦＰＣの電極スペースについて，より狭いピッチが要求される場合は，ＦＰＣの電極とコンタクト３０の確実な接続を補償することが困難となることが容易に予想される。
【００１１】
一方，ＦＰＣを挿入した際に，ＦＰＣの先端部がアクチュエータ２０の下側に隠れ，突き当て状態を確認することが難しいという問題が有る。
【００１２】
したがって，本発明の目的は，かかる不都合を解消し得る構造を有するＦＰＣ／ＦＦＣ用のコネクタを提供することにある。
【課題を解決するための手段】
【００１３】
上記課題を達成する本発明の第１の側面は，ＦＰＣ／ＦＦＣ用コネクタであって，絶縁樹脂で形成されたハウジングと，前記ハウジングの両側部で回転可能に支持されているアクチュエータを有し，前記ハウジングは，その両側部のそれぞれに一体に成型されている，前方に開口した切り欠きを有して略コ字状の側面を成した規制板を備え，ＦＰＣ／ＦＦＣが挿入されるとき，前記ハウジングの両側部の規制板の間隔で，前記ＦＰＣ／ＦＦＣの幅方向のガイドを行い，更に前記ＦＰＣ／ＦＦＣが挿入されるときの前記ＦＰＣ／ＦＦＣの突き当て限界を，前記ＦＰＣ／ＦＦＣの両端部側の先端面が，前記規制板の略コ字状の切り欠きに突き当てた状態と一致する，ように構成されていることを特徴とする。
【００１４】
上記第１の側面において，さらに，前記ハウジングの両側部の規制板のそれぞれの外側に補強金具を有し，前記アクチュエータの回転支持部が，前記補強金具に回転可能に軸支されていることを特徴とする。
【００１５】
また，前記補強金具は，前記規制板と対応する，前方に開口した切り欠きを有して略コ字状の側面を成すように構成できる。
【００１６】
さらにまた，前記補強金具は，対応する規制板との間に間隙を有して前記アクチュエータに固定され，前記アクチュエータの両側部に，前記アクチュエータが閉じられる時に，前記間隙に挿入され，前記アクチュエータの容易な開きを阻止する掛止め板部を有するように構成してもよい。
【発明の効果】
【００１７】
本発明の上記特徴に示されるように，コネクタハウジングと，前記コネクタハウジングの両側部の規制板が一体に成形されている。これにより，両側部の規制板間の間隔における組み立て誤差は生ずることがない。したがって，ＦＰＣ／ＦＦＣの挿入に際しての幅方向の誤差を少なくすることができ，コネクタのコンタクトのピッチが狭い場合であって，ＦＰＣ／ＦＦＣの電極ピッチとのずれを生じるおそれがない。
【００１８】
また，ＦＰＣ／ＦＦＣが挿入されるときの前記ＦＰＣ／ＦＦＣの突き当て限界を，前記ＦＰＣ／ＦＦＣの先端面が前記規制板の略コ字状の切り欠きに突き当てられた状態に一致させているので，容易に目視で，ＦＰＣ／ＦＦＣの挿入時の突き当て限界を確認することができる。
【００１９】
さらに，前記規制板の略コ字状の切り欠きにより，ＦＰＣ／ＦＦＣの引き回しにおける上方向への引張り力を受け止めることができるので，ＦＰＣ／ＦＦＣがアクチュエータに触れ，容易にアクチュエータが開く状態になることを防止することが可能である。
【発明を実施するための最良の形態】
【００２０】
以下に図面に従い，発明の実施の形態例を説明する。なお，実施の形態例は本発明の理解のためのものであり，本発明の技術的範囲がこれに限定されるものではない。
【００２１】
図２は，本発明のＦＰＣ／ＦＦＣ用のコネクタのハウジングを示す図であり，図３は，図２において○で囲った部分の拡大図である。ハウジングは，ハウジングベース部１と，その両側部の規制板２−１，２−２及び，複数のコンタクトピンのそれぞれを収容する複数のコンタクト収容部３を有し，これらは一体に絶縁樹脂によりモールド成型されている。
【００２２】
特徴として，両側部の規制板２−１，２−２のそれぞれは，前方に開口した切り欠き２ａを有して略コ字状の側面を成している。
【００２３】
複数のコンタクト収容部３のそれぞれには，それぞれコンタクトを収容する溝３ａが形成されている。さらに，複数のコンタクト収容部３は，所定の間隔３ｂを有して並列されている。この所定の間隔３ｂに別のコンタクトが収容される構造である。
【００２４】
図４は，図２に示すハウジングに，アクチュエータ５及び，複数のコンタクトピン６−１，６−ｉ，６−ｎ，７−１，７−ｉ，７−ｎを組み込んだ状態を示す図である。
【００２５】
アクチュエータ５は開いた状態を示しているが，その両側端から伸びる回転軸５ａが，補強金具８により支持されている。補強金具８は，ハウジングベース部１に形成されている窪み孔部１ａ（図３参照）に突部が挿入されてハウジングベース部１に固定されている。また，補強金具８の側面形状は，規制板２−１，２−２と同様に，前方に開口した切り欠き８ａを有して略コ字状を成している。
【００２６】
複数のコンタクトピン６−１，６−ｉ，６−ｎのそれぞれは，複数のコンタクト収容部３の対応する，コンタクトを収容する溝３ａに先端部のバネ性部が突出するように収容され，コンタクトピン６−１，６−ｉ，６−ｎの後端部はハウジングベース部１の下側に延びている。したがって，図４においては隠されている。
【００２７】
一方，複数のコンタクトピン７−１，７−ｉ，７−ｎのそれぞれは，複数のコンタクト収容部３が並列に配置され，それにより形成されている間隔３ｂ内に収容されている。コンタクトピン６−１，６−ｉ，６−ｎと同様に，先端部は，バネ性部を有し，突出するように収容され，アクチュエータ５の下部に位置する。そして，コンタクトピン７−１，７−ｉ，７−ｎの後端部は，ハウジングベース部１と反対方向に延びている。したがって，図４では，複数のコンタクトピン７−１，７−ｉ，７−ｎの後端部が目視可能に現れている。
【００２８】
これら，複数のコンタクトピン６−１，６−ｉ，６−ｎ，７−１，７−ｉ，７−ｎの後端部は，コネクタが図示しない基板に搭載されるときに，基板の配線パターンと半田付けにより固定接続される。
【００２９】
図５は，図４のコネクタ構造において，アクチュエータ５を閉じた状態のコネクタの形態を示す図である。アクチュエータ５の両端には，掛止め板部５ｂを有している。
【００３０】
この掛止め板部５ｂは，アクチュエータ５が閉じられるときに，規制板２−１，２−２と補強金具８との間に挟まれる状態で挿入される。これにより，アクチュエータ５が容易に開くことを阻止する摩擦抵抗を与える。
【００３１】
図６は，図４の組み立て済みのコネクタにＦＰＣを挿入する前の状態を示す図である。図７は，図６の○で囲った部分の拡大図である。
【００３２】
挿入されるＦＰＣ９の先端部の幅Ｗは，ハウジングの両側部の規制板２−１，２−２の間隔に対応する大きさであることが必要である。ＦＰＣ９を挿入する時は，アクチュエータ５が開いている状態で，規制板２−１，２−２の間隔内に，ＦＰＣ９の先端部を位置づけることのみ注意して挿入すればよい。
【００３３】
図８は，コネクタにＦＰＣ９を挿入した状態で，アクチュエータ５が開いている状態を示す図である。図９は，図８の○で囲った部分の拡大図である。
【００３４】
規制板２−１，２−２の間隔に対応する幅Ｗを有するＦＰＣ９の先端部を，規制板２−１，２−２の間隔内に挿入すると，幅Ｗを超えるＦＰＣ９の先端肩部９ａが，少なくとも規制板２−１，２−２の切り欠き部２ａの端面に突き当たる。これにより，ＦＰＣ９の更なる挿入が規制される。
【００３５】
このとき，操作者は，外部からＦＰＣ９の先端肩部９ａが，少なくとも規制板２−１，２−２の切り欠き部２ａの端面に突き当たった状態を目視することができる。これにより，確実にＦＰＣ９の挿入深さの確認が可能である。
【００３６】
図８，図９において，ＦＰＣ９の挿入深さが確認され，次いでアクチュエータ５が閉じられる。
【００３７】
図１０は，コネクタにＦＰＣ９を挿入した状態で，アクチュエータ５が閉じられた状態を示す図である。図１１は，図１０の○で囲った部分の拡大図である。
【００３８】
かかる状態において，ＦＰＣ９が引き回される場合，ＦＰＣ９の先端肩部９ａの上方向への引っ張り力に対しては，規制板２−１，２−２により規制が行われる。これにより，ＦＰＣ９が直接アクチュエータ５に当たり，開く状態としてしまうことを防止することができる。
【産業上の利用可能性】
【００３９】
上記に実施の形態例で説明した構造から容易に理解できるように，本発明に従うＦＰＣ／ＦＦＣ用コネクタは，電極ピッチの狭いＦＰＣ／ＦＦＣに対しても誤接続なく，更に，ＦＰＣ／ＦＦＣの引き回し作業においてもアクチュエータの閉じた状態を容易に解除することがないので，信頼性の高いコネクタの提供が可能であり，産業上寄与するところ大である。
【図面の簡単な説明】
【００４０】
【図１】特許文献１の図３に示される，ＦＰＣ用コネクタの部分拡大図である。
【図２】本発明のＦＰＣ／ＦＦＣ用のコネクタのハウジングを示す図である。
【図３】図２において○で囲った部分の拡大図である。
【図４】図２に示すハウジングに，アクチュエータ及び，複数のコンタクトピンを組み込んだ状態を示す図である。
【図５】図４のコネクタ構造において，アクチュエータを閉じた状態のコネクタの形態を示す図である。
【図６】図４の組み立て済みのコネクタにＦＰＣを挿入する前の状態を示す図である。
【図７】図６の○で囲った部分の拡大図である。
【図８】コネクタにＦＰＣを挿入した状態で，アクチュエータが開いている状態を示す図である。
【図９】図８の○で囲った部分の拡大図である。
【図１０】コネクタにＦＰＣを挿入した状態で，アクチュエータが閉じられた状態を示す図である。
【図１１】図１０の○で囲った部分の拡大図である。
【符号の説明】
【００４１】
１  ハウジングベース部１
１ａ  窪み孔部
２−１，２−２  規制板
２ａ  規制板の切り欠き３
３  コンタクト収容部
３ａ  コンタクト収容部の溝
３ｂ  コンタクト収容部の間隔
５  アクチュエータ
５ａ  回転軸
５ｂ  掛止め板部
６１，６ｉ，６ｎ，７１，７ｉ，７ｎ  コンタクト
８  補強金具
９  ＦＰＣ
９ａ  ＦＰＣの先端肩部
【図１】
0004837997.tif 000002
【図２】
0004837997.tif 000003
【図３】
0004837997.tif 000004
【図４】
0004837997.tif 000005
【図５】
0004837997.tif 000006
【図６】
0004837997.tif 000007
【図７】
0004837997.tif 000008
【図８】
0004837997.tif 000009
【図９】
0004837997.tif 000010
【図１０】
0004837997.tif 000011
【図１１】
0004837997.tif 000012